(57)【特許請求の範囲】
【請求項１】
光ファイバ心線ａを導出入する心線導出入部１１と、該心線導出入部１１から入る心線相互を接続したコネクタｂを収納するコネクタ収納部１２と、心線余長を巻回して収納する心線余長収納部１３とを備えた収納トレイ１０を複数枚多重に重ねてなる心線接続余長収納ケース１であって、
前記収納トレイ１０の心線導出入部１１のある側板の左右両サイドに対向して設けたヒンジ部の一方をアーム２１  に突設した長軸ピン２と、軸孔のあるピン軸受部４とを対として上下突合せに対向配備したヒンジ部とし、他方をアーム３１に突設した短軸ピン３と軸孔のあるピン軸受部５とを対として上下突合せに対向配備したヒンジ部とし、各収納トレイ１０を重ねた状態において、上方の収納トレイ１０の長軸ピン２と短軸ピン３とを下方の収納トレイ１０のピン軸受部４とピン軸受部５とに嵌挿して上下の収納トレイ１０を互いに回動自在に連結すると共に、前記短軸ピン３のあるアーム３１に対向するピン軸受部５のみに、上方の収納トレイ１０のアーム３１に突設する短軸ピン３を嵌挿するピン挿入用のガイド切溝６を設けてなることを特徴とする心線接続余長収納ケース。
【請求項２】
請求項１に記載の心線接続余長収納ケース１において、複数のコネクタ保持用のコネクタ収納部１２を有し、各コネクタ収納部１２に保持されたコネクタｂから導出される心線余長を収納トレイ１０内に並設された一対の心線余長収納部１３，１３に分離して巻回させると共に、前記心線導出入部１１に心線を挿通保持する弾性保持部材ｃを係脱自在に嵌着配備してなることを特徴とする心線接続余長収納ケース。
【請求項３】
請求項２に記載の心線接続余長収納ケース１において、前記収納トレイ１０には、複数の前記心線余長収納部１３が並設されており、その一方の心線余長収納部１３には、前記心線ａを導入する第１出入口Ｊ１を、並設する他方の心線余長収納部１３には、前記心線ａを送り出すための第２出入口Ｊ２を備えてなることを特徴とする心線接続余長収納ケース。
【発明の詳細な説明】
【０００１】
【発明の属する技術分野】
本発明は、通信ケーブル、特に光ファイバ心線を有する光ファイバケーブルの接続部を保護し、心線余長を収納する心線接続余長収納ケースに関するものである。
【０００２】
【従来の技術】
従来より、光ファイバケーブルの分岐、引込、接続などを行う場合、ケーブル心線相互を接続すると共に、ケーブル心線の余長分を収納するための心線接続余長収納ケースが用いられている。このケースは、トレイ本体に心線を導出入する部分となる心線導出入部と、その心線導出入部から導出入させる幹線用光ファイバケーブルから引き出された光ファイバ心線同士或いは分岐用光ファイバケーブルから引き出された心線とを接続するコネクタ等の接続部が収納されるコネクタ収納部と、さらに接続された心線の余長部分を巻回して保護収納する心線余長収納部とを備えたものが知られている。（特開平９−２２２５１９号公報）
【０００３】
【発明が解決しようとする課題】
ところが、光ファイバケーブルを用いた通信網ではケーブルの高密度、多心化が進むにつれて心線余長収納部ではその容量が不足しがちになり、多数枚重ねられた収納トレイの多様化で心線余長の納まりが悪くなって、心線の光損失が生じ伝送特性に悪影響を与えたり接続分岐に伴う作業がやりにくいし、さらには増設も簡単に対応できずコンパクト化できないといった問題が生じている。
【０００４】
本発明は、これら従来の事情に鑑みてなされたものであり、光ファイバケーブルの伝送特性に悪影響を与えることなく光ファイバケーブルの接続や切り替え或いは分岐接続作業が容易に実施でき、増設も楽にでき、きわめてコンパクトに接続部を収納することができる取扱い簡便な心線接続余長収納ケースを安価な形態で提供することを目的とするものである。
【０００５】
【課題を解決するための手段】
上述の課題を解決するために、請求項１の発明は、光ファイバ心線を導出入する心線導出入部と、該心線導出入部から入る心線相互を接続したコネクタを収納するコネクタ収納部と、心線余長を巻回して収納する心線余長収納部とを備えた収納トレイを複数枚多重に重ねてなる心線接続余長収納ケースであって、  前記収納トレイの心線導出入部のある側板の左右両サイドに対向して設けたヒンジ部の一方をアームに突設した長軸ピンと、軸孔のあるピン軸受部とを対として上下突合せに対向配備したヒンジ部とし、他方をアームに突設した短軸ピンと軸孔のあるピン軸受部とを対として上下突合に対向配備したヒンジ部とし、各収納トレイを重ねた状態において、上方の収納トレイの長軸ピンと短軸ピンとを下方の収納トレイのピン軸受部とピン軸受部とに嵌挿して上下の収納トレイを互いに回動自在に連結すると共に、前記短軸ピンのあるアームに対向するピン軸受部のみに、上方の収納トレイのアームに突設する短軸ピンを嵌挿するピン挿入用のガイド切溝を設けてなる構成となっている。
【０００６】
この心線接続余長収納ケースにおいて、複数のコネクタ保持用のコネクタ収納部を有し、各コネクタ収納部に保持されたコネクタから導出される心線余長を収納トレイ内に並設された一対の心線余長収納部に分離して巻回させると共に、前記心線導出入部に心線を挿通保持する弾性保持部材を係脱自在に嵌着配備するのがよい。
【０００７】
また、前記収納トレイには、複数の前記心線余長収納部が並設されており、その１つの心線余長収納部は、前記心線の第１出入口と、並設する他の心線余長収納部に隣接して設けられ、一方の心線余長収納部には、前記心線を導入する第１出入口を、並設する他方の心線余長収納部には、前記心線を送り出すための第２出入口を備えるのが望ましいし、一方の前記収納トレイに設けた係合用穴と、他方の前記収納トレイに突出する係合用突起とで、前記収納トレイを積み重ねたときに両方の収納トレイが的確に嵌合するようにする。
【０００８】
【作用】
本発明の心線接続余長収納ケースは、光ファイバ心線の接続余長部分を保護収納する複数の収納トレイが互いに回動自在に連結されているので、任意の収納トレイを開いて心線の接続作業や接続状況の点検、確認、調整などをきわめて容易に行うことができる。
また、各収納トレイは、光ファイバ心線の導出入部のある側板にヒンジ部があって回動するため、収納トレイの回動による光ファイバ心線の長さ変動が少なく納められ、伝送特性に悪影響を及ぼすことがなく安全に使用できる。
しかも、心線接続後に上側の収納トレイを回動させて元の位置に戻しても光ファイバ心線に弛みが生じないし、心線に過度に屈曲することがなく曲率半径の小さい円弧状部分をも生じないで収納でき安全な保護ができる。
さらに、収納トレイの左右両サイドに対向して配備されるヒンジ部のヒンジピンが長軸ピンと短軸ピンとからなり、これらをピン軸受部の軸孔に挿脱することで、隣接される収納トレイの連結並びに分離が連結できる。例えば前記収納トレイの組み込みの際には、他方のヒンジ部の長軸ピンをピン軸受部に挿入したのち、一方のヒンジ部の短軸ピンを短軸ピンのあるアームに対向するピン軸受部にガイド切溝を経てピン軸孔に挿入して簡単に連結セットできる。また収納トレイの分離の際には、一方のヒンジ部の短軸ピンをピン軸受部からガイド切溝を経て外して他方のヒンジ部の長軸ピンをピン軸受部から抜き取ることにより連結した収納トレイを別個に外すことができ、収納トレイの着脱作業が迅速容易にでき収納トレイの更新並びに増設の簡易化が図れる。
【０００９】
【発明の実施の形態】
本発明の実施例を図面を用いて説明すると、心線接続余長収納ケース１は複数枚の同形の収納トレイ１０からなり、該収納トレイ１０内に光ファイバ心線ａを導出入する心線導出入部１１と、該心線導出入部１１から入る心線相互を接続したコネクタｂを収納するコネクタ収納部１２と、心線余長を巻回して収納する心線余長収納部１３とを備えると共に、この収納トレイ１０を複数枚多重に積み重ねてなるものである。
【００１０】
そして、前記収納トレイ１０は、合成樹脂により一体成形された成形品であり、図１および図８に示すように、略長方形状の外形を有し、内面側が同一形状に形成されたもので、前記収納トレイ１０の心線導出入部１１のある側板の左右両サイドに対向して設けたヒンジ部の一方をアーム２１  に突設した長軸ピン２と、軸孔のあるピン軸受部４とを対として上下突合せに対向したヒンジ部とし、他方をアーム３１  に突設した短軸ピン３と軸孔のあるピン軸受部５とを対として上下突合せに対向したヒンジ部とし、各収納トレイ１０を重ねた状態において、上方の収納トレイ１０の長軸ピン２と短軸ピン３とを下方の収納トレイ１０のピン軸受部４とピン軸受部５とに嵌挿して上下の収納トレイ１０を互いに回動自在に連結すると共に、前記短軸ピン３のあるアーム３１  に対向するピン軸受部５には上方の収納トレイ１０のアーム３１  に突設する短軸ピン３を嵌挿するピン挿入用のガイド切溝６が設けられてなるものである。
【００１１】
前記収納トレイ１０としては、図１乃至図４および図８と図９に示すように４心一括収納タイプとしたもので、心線ａの接続用コネクタｂが収納保持されるコネクタ収納部１２と、該コネクタ収納部１２に保持された接続用コネクタｂから導出される心線余長を引き廻し、ループ状に巻回させて保持する心線余長収納部１３とをガイドリブ１２１  ，１３１  のより区画して備え、取付孔３０のある略長方形の収納トレイ１０を用いる。
この収納トレイ１０の外壁側面部の両サイドに長軸ピン２と短軸ピン３をそれぞれアーム２１  ，３１  を介して突設し、他の収納トレイ１０の外壁側面部の両サイドに設けた長軸ピン２と、短軸ピン３を挿脱できる軸孔のあるピン軸受部４，５とを配備する。即ち、前記収納トレイ１０の側板の左右両サイドに対向して設けたヒンジ部の一方をアーム２１  に突設した長軸ピン２と、軸孔のあるピン軸受部４とを対として上下突合せに対向配備したヒンジ部とし、他方をアーム３１  に突設した短軸ピン３と、短軸ピン３の挿入用のガイド溝６および軸孔のあるピン軸受部５とを対として上下突合せに対向配備したヒンジ部とする。（図３および図８）
この収納トレイ１０の上に載置される上方収納トレイ１０に突設された一対の長軸ピン２と、短軸ピン３とが下方収納トレイ１０に突設されたピン軸受部４，５にそれぞれ嵌挿されて上下の収納トレイ１０を互いに回動自在で着脱自在に連結して上下方向に多段に重ねて配備する。（図４および図９）
そして、上下隣接される各収納トレイ１０，１０間を着脱自在に接続する係止爪部１４と係止受部１５とを互いに収納トレイ１０の両側壁に対応配備し、さらに前記ヒンジ部の反対側に突出したガイド片１６と、該ガイド片１６が挿入される穴部１７とを対向配備して、重積されたときに隣接する収納トレイ１０同士が外れないように支持されるようになっている。
【００１２】
また、前記収納トレイ１０に形成した舌状の係止片１８のある心線導出入部１１には、分離スリットのある心線挿通孔を設けた弾性保持部材ｃを圧入嵌合して心線ａの支持を確実にしてあり、この弾性保持部材ｃは心線径或いは心線数に応じた挿通孔のあるものを選んで用いられる。
さらにコネクタ収納部１２及び心線余長収納部１３にはガイドリブ１２１  ，１３１  及び側壁を選んで心線の浮きを阻止する心線係止片１９或いは係止爪２０を一体成形して余長の心線ａや心線接続部となるコネクタｂを収納トレイ１０内に確実に保持できるようにしてあって、各収納トレイ１０毎に心線ａを分離整理収納し、ケーブル挿入部からファイバ心線の曲げが極少で心線収納時のねじれをも防止でき、安全かつ高密度収納で高信頼性が得られる。
【００１３】
この場合、多段に積み重ねられた収納トレイ１０の中から所望の収納トレイ１０の上段側の収納トレイ１０の係止爪部１４を係止受部１５から外せば、長軸ピン２，短軸ピン３とピン軸受部４，５とからなるヒンジ部を支点として収納トレイ１０が回動でき、重ね合せ面を開くことができて下段側の収納トレイ１０の内面側が露出されて収納心線の接続配線作業が容易にできる。
【００１４】
さらに、一方の収納トレイ１０を他方の収納トレイ１０に連結するときは、長軸ピン２をピン軸受部４に軸方向から嵌挿して軸方向に押圧しつつ、短軸ピン３をガイド切溝６に挿入してピン軸受部５に軽く押し込めば、ピン軸受部５がその押力で弾性変位して、軸孔に容易に嵌込まれて回動自在に連結される。（図４）
また取り外しの際には、短軸ピン３側を軸方向内側に若干押し気味にスライドさせると、収納トレイ１０の弾性変形で短軸ピン３がピン軸受部５の軸孔から容易にガイド切溝６に移し替えられ短軸ピン３が外れ、さらに反対方向にスライドすれば長軸ピン２がピン軸受部４からも抜き出し簡単に外すことができ、収納トレイ１０内の心線の点検、修理、接続の各作業が簡便に行うことができる。（図４および図９）
【００１５】
なお、前記心線導出入部１１は、片側に設けたシングルタイプに限らず両側に対に設け、即ち四隅に設けたダブルタイプのものを用いることもできるし、しかも合成樹脂の射出成形により、収納トレイ１０を略正方形、長方形の四角形また楕円形に形成されるので、コネクタ収納部１２に隣接される心線余長収納部１３には所定間隔に配列されるケーブル押え片の心線係止片１９で伝送特性に悪影響が及ばないように心線がなめらかに湾曲したループ状に巻回保持できるように
配慮してある。
【００１６】
前記収納トレイ１０の複数重ね合わせて心線接続余長収納ケース１として、図５乃至図７に示すように下スリーブ２１と上スリーブ２２とからなる円筒状のクロージャ内に組み込まれて用いられるが、収納トレイ１０の最下段を下スリーブ２１内に固定した連結金具８に、受座８０を介してネジにより着脱自在に定着すると共に、最上段の収納トレイ１０にヒンジで開閉自在の蓋体７を備えてあり、この連結金具８としては図７に示すようにケーブル把持金具２３をテンションメンバ把持金具２４とを一体に形成され、前記収納トレイ１０を載置固定できる受座８０を備えている。
【００１７】
前記上下スリーブ２２，２１の両端壁嵌合部に嵌装された端面板２５とを備えたクロージャの例で説明すると、端面板２５，２５にスペーサ２６を介して、幹線光ケーブルＡが貫通されてケーブル把持金具２３で固定され、かつ、該ケーブのテンションメンバが、テンションメンバ把持金具２４に接続連結されている
。前記上下スリーブ２２，２１は、分割接合面にガスケット２７を介在して突き合わせ密封結合するが、スリーブ外側に設けたヒンジ部にループ状リングからなるヒンジ締結具４０を掛止めて連結一体化するようになっている。
【００１８】
なお、収納トレイ１０に設けた取付孔３０は収納トレイ１０が複数積み重ねられたときに必要に応じ、支杆（図示せず）などを嵌挿して下スリーブ２１に連結固定保持するために用いてもよいし、上下段ごとに連結ボスを嵌装して連結する形態とすることもできる。
【００１９】
以上の構成からなる収納トレイ１０において、心線ａは収納トレイ１０の一方の心線導出入部１１から入り第１出入口Ｊ１  に到つて、ガイドリブ１２１  ，１３１  の間の心線通路を通ると共に、心線押さえ用の係止片１９により押されられ、いずれかの心線余長収納部１３内に入る。心線が心線余長収納部１３等内に入るときは、ガイドリブ１３１  で形成された出入口を通る。そして、心線ａは前記係止片１９によって押さえられると共に、前記ガイドリブ１３１  の回りを巻回され、かつコネクタ収納部１２の差込ガイドリブ１２１  に取り付けられたコネクタｂに接続されると共に、コネクタｂから出る心線ａは、その心線余長収納部１３を通って、他方の第２出入口Ｊ２  を経て他方の心線導出入部１１からケース外部に出る。
なお、前記心線ａを押える前記係止片１９は、２本上下に分けて、例えば１／２或いは２／３，１／３の位置などに振り分けて突設し、心線ａを通する際に上側の係止片１９と下側の係止片１９とに分けて通過させるようにし、増設時での配線に各心線ａの干渉をなくした安全な配線ができるようにすることが考慮されている。
【００２０】
このように、心線導出入部１１の一方側から心線ａを入れる場合に、心線余長収納部１３に収納したときは、他方の心線導出入部１１側に出すことができる。
なお、心線導出入部１１の一方側から心線ａを入れて心線余長収納部１３に収納する場合、心線ａの巻回の仕方によって、両方の心線導出入部１１のいずれの側にも出すこともできる。
以上のように、いずれかの心線導出入部１１から心線ａを収納トレイ１０内に入れることができ、かつ心線ａの曲率を小さくすることなく（過負荷を加えることなく）、入口側となった心線導出入部１１と同一の又は異なる心線導出入部１１を出口側として出すことができる。これにより、心線の出入口側を自在として、光ケーブル用クロージャ内での心線の配線の便宜を図ることができる。
【００２１】
ここで、心線導出入部１１には、貫通穴が形成されたゴム等の弾性変形可能な弾性保持部材ｃ（図１参照）が設けられ、心線ａは、この貫通穴を通って収納トレイ１０内に入り、かつ収納トレイ１０外に出る。この心線支持用の弾性保持部材ｃは係止片１８により保持される。
このように弾性保持部材ｃを心線導出入部１１に介在させれば、心線ａが心線導出入部１１を通るときに、心線ａがトレイ本体に擦れること、或いは引張衝撃等を確実に防止することができる。
【００２２】
そして、収納トレイ１０は、光ケーブル用クロージャ内に順次積み重ねられるようにして実装される（図５参照）。この積み重ねには、係合用の係止爪部１４（トレイ本体上面）側が上側となるようにする。そして、下側の収納トレイ１０の係止爪部１４を、上側の収納トレイ１０の係止受部１５に入れれば、重なり合う収納トレイ１０同士をネジ止め等することなく連結することができ、心線接続余長収納ケース１とすることができる（図７参照）。
【００２３】
【発明の効果】
本発明の心線接続余長収納ケースは、収納トレイの心線導出入部のある側板の左右両サイドに対向して設けたヒンジ部の一方をアームに突設した長軸ピンと、軸孔のあるピン軸受部とを対として上下突合せに対向配備したヒンジ部とし、他方をアームに突設した短軸ピンと軸孔のあるピン軸受部とを対として上下突合せに対向配備したヒンジ部とし、各収納トレイを重ねた状態において、上方の収納トレイの長軸ピンと短軸ピンとを下方の収納トレイのピン軸受部とに嵌挿して上下の収納トレイを互いに回動自在に連結すると共に、前記短軸ピンのあるアームに対向するピン軸受部には上方の収納トレイのアームに突設する短軸ピンを嵌挿するピン挿入用のガイド切溝を設けてなることで、一方の収納トレイを他方の収納トレイに連結するときは、長軸ピンをピン軸受部に軸方向から嵌挿して軸方向に押圧しつつ、短軸ピンをガイド切溝に挿入してピン軸受部に軽く押し込めば、ピン軸受部がその押力で弾性変位して、軸孔に容易に嵌込まれて回動自在に連結されるし、また取り外しの際には、短軸ピン側を軸方向内側に若干押し気味にスライドさせると、収納トレイの弾性変形でピン軸受部の軸孔から短軸ピンが容易にガイド切溝に移し替えられ短軸ピンが外れ、さらに反対方向にスライドすれば長軸ピンがピン軸受部から抜き出され簡単に外すことができ、上下の収納トレイのヒンジ連結の係脱が簡便に可能で、収納トレイ内の心線の点検、修理、接続の各作業が容易に行うことができる。
また、収納トレイの多段積み重ねも簡単で、しかも複数枚重ねられた収納トレイは心線導出入部の側板を中心に互いに回動自在に連結されているので、心線接続作業後に任意の収納トレイを開いて収納されている光ファイバ心線を迅速に取り出すことができ、心線識別も容易で接続部の再調整や修理など簡単に行うことができ、作業性を大幅に向上すると共に、各収納トレイのヒンジ部のピン軸受部に順次重ねられる収納トレイのヒンジ部のピン軸を収納トレイをずらしながら挿入するだけで連結できるので、収納トレイを必要なだけ複数に積み重ねることができると共に、多段に積み重ねられた収納トレイ全体を的確に保持できて安全性も高められる。
さらに、本発明の心線接続余長収納ケースでは、心線余長の収納が収まり良くでき心線の巻回収納にも余裕があり、収納トレイ内での心線の保持も緩衝的に行なわれているので、心線に弛みが生じないし、各収納トレイを回動させ展開しても収納した光ファイバの余長部の長さの変化が少ないので、光ファイバの余長部の長さの変化が少なく、光ファイバ心線に無理な屈曲や小円弧が発生することなく光損失をなくして伝送特性を良好に保つことができるし、心線の分岐、引込の際に収納トレイへの心線導出入の自由度があって作業上、心線接続部へのアクセスが簡便化でき、管理や組立分解作業も容易に行なえ、かつ高密度・高信頼性が得られるほか、心線余長収納での高信頼性が得られるし、心線接続余長収納ケースでの取扱いも著しく容易化でき、かつコンパクト化が図れる。
【図面の簡単な説明】
【図１】  本発明の実施例の４心一括収納の心線接続余長収納ケースの展開平面図であって、開いて内面側を示す図である。
【図２】  図１に示すケースの拡大側面図である。
【図３】  図１に示すケースのヒンジ部を示し、（ａ）は一部の拡大平面図、（ｂ）はその拡大側面図である。
【図４】  図１に示すケースの分離状態を示す一部の拡大平面図である。
【図５】  図１に示すケースの一使用状態を示し、一部を分離し、かつ切欠して内部を表した斜視図である。
【図６】  図５の例の組立状態を示し、（ａ）は一部を切欠して内部を表した平面部、（ｂ）はその正面図である。
【図７】  図５の例の組立状態であって、（ａ）は一部切断側面図、（ｂ）はＡ−Ａ線の縦断面図である。
【図８】  図１に示す収納トレイを示し、（ａ）は平面図、（ｂ）はその側面図、（ｃ）は正面図である。
【図９】  図１に示す収納トレイの組み込み時での分離状態を示す斜視図である。
【符号の説明】
Ａ        光ケーブル
ａ        心線
ｂ        コネクタ
ｃ        弾性保持部材
１        心線接続余長収納ケース
２        長軸ピン
３        短軸ピン
４，５    ピン軸受部
６        ガイド切溝
７        蓋体
８        連結金具
１０      収納トレイ
１１      心線導出入部
１２      コネクタ収納部
１２１      ガイドリブ
１３      心線余長収納部
１３１          ガイドリブ
１４      係止爪部
１５      係止受部
１６      ガイド片
１７      穴部
１８，１９  係止片
２０      係止爪
【図１】
0004044681.tif 000002
【図２】
0004044681.tif 000003
【図３】
0004044681.tif 000004
【図４】
0004044681.tif 000005
【図５】
0004044681.tif 000006
【図６】
0004044681.tif 000007
【図７】
0004044681.tif 000008
【図８】
0004044681.tif 000009
【図９】
0004044681.tif 000010